(57)【要約】      （修正有）【課題】病院などにおける使用済みおむつから発生する臭気の清浄化装置に関し、移動中のおむつ取替用移動車から発生する臭気を清浄化し、一時的なおむつの取替時における臭気を簡便に清浄化する。【解決手段】移動自在なおむつ取替用移動車１に光触媒担持体と紫外線光源による空気清浄装置２０，３０を設け、その空気清浄装置２０，３０に電源を供給する電源ケーブル１１，３４を設け、おむつ取替用移動車１にバッテリー１４と、バッテリー１４の直流電源を交流に変換するインバーター１５を設け、移動時にバッテリー１４の電源で空気清浄装置２０を稼動させる。【選択図】図１
0003119096.tif 000002
【実用新案登録請求の範囲】
【請求項１】
移動自在なおむつ取替用移動車に光触媒担持体と紫外線光源による空気清浄装置を設け、その空気清浄装置に電源を供給する電源ケーブルを設けた病院などにおけるおむつ取替用移動車の空気清浄装置。
【請求項２】
おむつ取替用移動車にバッテリーと、バッテリーの直流電源を交流に変換するインバーターを設け、移動時にバッテリーの電源で空気清浄装置を稼動させる請求項１記載の病院などにおけるおむつ取替用移動車の空気清浄装置。
【考案の詳細な説明】
【技術分野】
【０００１】
本考案は、光触媒を用いて悪臭や細菌を分解して脱臭や殺菌を行なう空気清浄装置に関し、特に病院などにおける使用済みおむつから発生する臭気の清浄化装置に関する。
【背景技術】
【０００２】
従来、酸化チタンなどの光反応性半導体（以下光触媒という）に紫外線光源（ブラックライト、水銀灯など）を当て励起させてＯＨラジカルを生成し、その活性化した光触媒に清浄化すべき空気を通過させて汚染物質を分解し、脱臭あるいは殺菌をする空気清浄装置は知られている。
【０００３】
そのような空気清浄装置には、例えば光触媒をセラミック質の多孔性基材に塗工し、乾燥凝固させた膜を焼成して微細孔性の膜を形成した光触媒担持体が用いられる。
【０００４】
一方、病院医療施設や老人介護施設などでは、排泄物などから発生する臭気や空気中に浮遊する細菌が、そこを利用する人々やそこで働く人々に苦痛や罹患の脅威を与えている。ここでは、病院医療施設や老人介護施設などを病院などとする。
【０００５】
そのような病院などにおける脱臭装置として、特開２００５−２０６号公報に示されるように、手術台、ストレッチャー、ベッド等の台部近傍に設けた臭気吸込口と、この臭気吸込口から吸い込んだ臭気を、光触媒部材とこの光触媒部材に光線を照射する光源ランプとを有する脱臭部に導入する導入路と、前記脱臭部で脱臭した清浄空気を室内に導出する導出路と、この導出路の内部に設けた送風機とを具備したものが知られている。
【０００６】
また、局所で発生する臭気を吸い込むため、前記導入路の一部に台部上の分岐ホースを接続することが示されている。
【０００７】
この脱臭装置では、手術室で電気メスにより体の患部を切除することにより生じる臭気を、手術台の台部近傍に設けた臭気吸込口や台部上の分岐ホースから吸い込み、速やかに脱臭する。
【０００８】
また、寝たきり老人のオムツ替え時に排泄物のにおいが室内に拡散するのを防ぐため、ベッドの台部近傍に設けた臭気吸込口や台部上の分岐ホースから吸い込み、速やかに脱臭する。
【０００９】
更に、台部が移動式のストレッチャーの場合には、小型の電源装置（図略）を搭載して光源ランプ及び送風機に電力を供給することが示されている。
【特許文献１】特開２００５−２０６号公報
【考案の開示】
【考案が解決しようとする課題】
【００１０】
病院などにおけるおむつの取替は、手押しのおむつ取替用移動車（キャリアカー）に新しいおむつと使用済みのおむつを載せ、各患者の間を回りながら行なう。
【００１１】
その際、おむつの取替時の臭気と共に、使用済みのおむつから発生する臭気も問題となっている。
【００１２】
つまり、使用済みのおむつはビニール袋に入れ、おむつ取替用移動車の所定のバケットに入れるが、それでも臭気が発生してしまい、押して歩く人たちに苦痛を与えている。
【００１３】
また、一時的なおむつの取替時における臭気のために、全てのベッドに光触媒脱臭装置を組み込むことは、それに要する費用の面から現実的でない。
【００１４】
そこで本考案は、移動中のおむつ取替用移動車から発生する臭気を清浄化し、一時的なおむつの取替時における臭気を簡便に清浄化し、併せて病院などにおける空気中に浮遊する細菌を低減できる、病院などにおけるおむつ取替用移動車の空気清浄装置を提供することを目的とする。
【課題を解決するための手段】
【００１５】
請求項１の考案による病院などにおけるおむつ取替用移動車の空気清浄装置は、移動自在なおむつ取替用移動車１に光触媒担持体25と紫外線光源26による空気清浄装置20，30を設け、その空気清浄装置20，30に電源を供給する電源ケーブル11，34を設けたものである。
【００１６】
請求項２の考案による病院などにおけるおむつ取替用移動車の空気清浄装置は、おむつ取替用移動車１にバッテリー14と、バッテリー14の直流電源を交流に変換するインバーター15を設け、移動時にバッテリー14の電源で空気清浄装置20を稼動させるものである。
【考案の効果】
【００１７】
請求項１の考案によれば、移動自在なおむつ取替用移動車１に光触媒担持体25と紫外線光源26による空気清浄装置20，30を設け、その空気清浄装置20，30に電源を供給する電源ケーブル11，34を設け、臭気の発生する所で電源ケーブル11，34をコンセントに差し込めば空気清浄装置20，30が稼動するから、一時的なおむつの取替時における臭気を簡便に清浄化できる。
【００１８】
また、臭気と共に空気中に浮遊する細菌を吸い込んで殺菌するから、併せて病院などにおける空気中に浮遊する細菌を低減できる。
【００１９】
請求項２の考案によれば、おむつ取替用移動車１にバッテリー14と、バッテリー14の直流電源を交流に変換するインバーター15を設け、移動時にバッテリー14の電源で空気清浄装置20を稼動させ、常に使用済みのおむつから発生する臭気を吸い込むことができるから、移動中のおむつ取替用移動車から発生する臭気を清浄化できる。
【００２０】
また、臭気と共に空気中に浮遊する細菌を吸い込んで殺菌するから、併せて病院などにおける空気中に浮遊する細菌を低減できる。
【考案を実施するための最良の形態】
【００２１】
図１は、本考案の一実施例に係る病院などにおけるおむつ取替用移動車１の空気清浄装置20，30の側面図であって、おむつ取替用移動車１に新しいおむつと使用済みのおむつを載せて移動する。
【００２２】
おむつ取替用移動車１にはその枠体２と、枠体２間に渡した新しいおむつを載せる棚３と、枠体２下部のおむつ取替用移動車１を移動自在とするための四つの車輪４と、枠体２の片側上部の取替用移動車１を押して歩くための取手５と、使用済みのおむつを入れるバケット６を設ける。
【００２３】
枠体２下部の車輪４の間に電源部枠10を設け、電源部枠10に電源ケーブル11と、充電器12と、リレーボツクス13と、バッテリー14と、インバーター15を設ける。
【００２４】
電源ケーブル11は外部から交流１００Ｖ電源を装置に供給するもので、コードリール式に巻取り自在となっている。
【００２５】
充電器12は交流１００Ｖを直流に変換しバッテリー14に充電するもので、バッテリー14が過充電とならないように制御されるものである。
【００２６】
バッテリー14はおむつの取替作業に見合った時間、空気清浄装置20を稼動させられる容量を有するもので、通常、空気清浄装置20を１時間稼動させられる容量とする。
【００２７】
インバーター15はバッテリー14の直流を交流１００Ｖに変換するもので、正弦波インバーターや擬似正弦波インバーターを用いる。
【００２８】
リレーボツクス13は、バッテリー14の電圧を監視し過放電を防ぐもので、図６に示す回路図では、空気清浄装置20に直接交流１００Ｖを通電し、バッテリー14に充電器12を通じて充電している状態である。この状態では、定置で空気清浄装置20を稼動させることはできる。バッテリー14が充電されていれば、電源ケーブル11を巻取り収納し、充電器12側の回路を遮断し、インバーター15側の回路を接続し、バッテリー14の電源で空気清浄装置20を稼動させる。
【００２９】
枠体２の片側に設けた空気清浄装置20は、光触媒担持体25と紫外線光源26により汚染物質を分解し、バッテリー14電源と直接交流１００Ｖの両方で稼動するもので、使用済みのおむつを入れるバケット６の近傍に枠体２に取り付けて設ける。
【００３０】
空気清浄装置20には、取り外し可能な覆体21と、覆体21の上面に空気取入口22を設け、空気取入口22の直下にプレフィルタ22aを設ける。
【００３１】
覆体21内で空気清浄装置20本体側から複数枚の光触媒担持体25と複数本の紫外線光源26を交互に設ける。
【００３２】
光触媒担持体25はセラミック質の多孔性基材の表面に酸化チタンなどの光触媒を担持させたもので、板形状体に形成された多数の孔を汚染空気が通過する。光触媒担持体25としては、繊維基材のものなどに光触媒を担持させたものでも良い。
【００３３】
紫外線光源26は「Ｕ」の字形状（ツイン型）のものを垂直方向に長く配置したブラックライトで、光触媒担持体25の間に平行に配置する。これにより、光触媒担持体25表面の光触媒は紫外線光源26からの紫外線により励起され、光触媒担持体25を通過する汚染物質を分解して清浄化する。紫外線光源26は水銀灯や捕虫器用蛍光灯などでも良い。
【００３４】
空気清浄装置20の側面に排出口23を設け、排出口23の装置側直近に送風機23aを設け、光触媒担持体25で清浄化された空気を排出口23から排出する。
【００３５】
これにより、バケット６の使用済みのおむつからの臭気による汚染空気24を空気取入口22から取り入れ、空気取入口22から入った臭気や細菌の汚染空気は光触媒担持体25で清浄化され、排出口23から排出される。
【００３６】
また、空気清浄装置20では、送風機23aと紫外線光源26に電源を必要とする。
【００３７】
枠体２の空気清浄装置20の反対側に設けた空気清浄装置30は、空気清浄装置20と同様のものであるが、交流１００Ｖのみで稼動する点が異なる。
【００３８】
空気清浄装置30には、取り外し可能な覆体31と、覆体31の上面に空気取入口32を設ける。
【００３９】
空気清浄装置30の側面に排出口33を設け、清浄化された空気を排出口33から排出する。
【００４０】
空気清浄装置30の下部に電源ケーブル34を設ける。電源ケーブル34は外部から交流１００Ｖ電源を空気清浄装置30に供給するもので、コードリール式に巻取り自在となっている。
【００４１】
これにより、おむつの取替時にベッド脇のコンセントに電源ケーブル34差し込み空気清浄装置30を稼動させ、おむつの取替時における臭気による汚染空気35を空気取入口32から取り入れ、空気取入口32から入った臭気や細菌の汚染空気は光触媒担持体25で清浄化され、排出口33から排出され、簡便に清浄化できる。
【００４２】
また、おむつの取替時に空気清浄装置20も稼動させることにより、強力に脱臭することができる。
【００４３】
以上の実施例では、おむつ取替用移動車１にバッテリー14電源で稼動する空気清浄装置20と交流１００Ｖのみで稼動する空気清浄装置30の両方を取り付けた例を示したが、いずれか一方の装置のみを取り付けるようにしても良い。
【００４４】
また、バッテリー14電源と直接交流１００Ｖの両方で稼動する空気清浄装置20を使用済みのおむつを入れるバケット６の近傍に設けた例を示したが、バケット６内の空気をダクトなどにより直接取り入れるようにしても良い。
【図面の簡単な説明】
【００４５】
【図１】病院などにおけるおむつ取替用移動車の空気清浄装置の一実施例を示す側面図である。
【図２】その平面図である。
【図３】その背面図である。
【図４】その正面図である。
【図５】図２の要部を示す一部を切り欠いた図である。
【図６】空気清浄装置の回路図である。
【符号の説明】
【００４６】
１  おむつ取替用移動車
11  電源ケーブル
14  バッテリー
15  インバーター
20  空気清浄装置
25  光触媒担持体
26  紫外線光源
30  空気清浄装置
34  電源ケーブル
【図１】
0003119096.tif 000003
【図２】
0003119096.tif 000004
【図３】
0003119096.tif 000005
【図４】
0003119096.tif 000006
【図５】
0003119096.tif 000007
【図６】
0003119096.tif 000008